(57)【要約】【課題】  応募者が安心して気軽にキャンペーンに応募することでき、多くの消費者による応募を期待でき、これにより高い宣伝効果が期待できる応募システムを提供する。【解決手段】  機械読み取り可能な識別情報を有する印刷物と、前記識別情報を読み取る機能を有する携帯端末と、前記携帯端末と通信可能なサーバとからなる応募システムであって、前記識別情報が応募先のメールアドレスであり、前記携帯端末が、応募先のメールアドレスを読み取る手段と、応募者のメールアドレスを前記サーバに送信する手段とを有し、前記サーバが、携帯端末から受信した応募者のメールアドレスを応募者情報として集計しデータベースに登録する登録手段と、前記データベースに登録された応募者情報の中から抽選して当選者を決定する抽選手段と、抽選手段による抽選結果で当選者となった応募者のメールアドレス宛てに当選情報を送信する送信手段とを有していることを特徴とする。【選択図】        図2
2005250922.tif 000002
【特許請求の範囲】
【請求項１】
機械読み取り可能な識別情報を有する印刷物と、前記識別情報を読み取る機能を有する携帯端末と、前記携帯端末と通信可能なサーバとからなる応募システムであって、
前記識別情報が、応募先のメールアドレスであり、
前記携帯端末が、前記応募先のメールアドレスを読み取る手段と、応募者のメールアドレスを前記サーバに送信する手段とを有し、
前記サーバが、前記携帯端末から受信した前記応募者のメールアドレスを応募者情報としてデータベースに登録する登録手段と、前記データベースに登録された応募者情報の中から抽選して当選者を決定する抽選手段と、前記抽選手段による抽選結果で当選者となった応募者のメールアドレス宛てに当選情報を送信する送信手段と、
を有していることを特徴とする応募システム。
【請求項２】
前記印刷物が、広告媒体であることを特徴とする請求項１記載の応募システム。
【請求項３】
前記印刷物が、定期刊行物であることを特徴とする請求項１記載の応募システム。
【発明の詳細な説明】
【技術分野】
【０００１】
本発明は、例えばポスターや雑誌などの印刷物に掲載されている消費者向けのプレゼントキャンペーンなどに応募する際に利用する応募システムに関する。
【背景技術】
【０００２】
従来、雑誌などの印刷物には、種々の企業が消費者向けの販売促進活動として、抽選によりプレゼントを進呈するなどの応募者キャンペーンを有する広告を掲載する場合がある。
これらのキャンペーンでは、応募者に対して葉書に住所や氏名などの個人情報を記入させて郵送で応募させたり、また印刷物に応募先のホームページにアクセスする際に用いるＵＲＬ（Ｕｎｉｆｏｒｍ  Ｒｅｓｏｕｒｃｅ  Ｌｏｃａｔｏｒ）を表示させておいて、応募者の端末からＵＲＬを入力させて、インターネットを介して応募先のホームページにアクセスし、応募者の住所や氏名など個人情報を送信させることで、何処の誰がそのキャンペーンに応募してきたのかがわかるようにしている。（例えば、特許文献１参照）
通常、応募者の中から抽選して当選者を決める場合であっても、全ての応募者に関する住所や氏名などの個人情報がキャンペーンの主催者側に知られてしまうよう仕組みとなっている。
【特許文献１】特開２００３−１６２６７２
【０００３】
しかしながら、消費者側の意識として、特に当選する確立が低いキャンペーンに応募することは、自分の住所や氏名、その他キャンペーン側が定めた種々の質問への回答などの個人情報が、簡単にキャンペーン側に提供されるだけで、応募者である消費者のメリットが極端に少ないことの不満があり、更に提供した個人情報がどのように扱われているのかわからないという不安もある。
【０００４】
例えば、応募者の個人情報を不正に流用したり、他人に売りさばかれるのではないか、といった不安もある。
このようなことから、企業イメージや商品イメージを高めるためや、販売促進活動として応募者キャンペーンを行ったとしても、用心深い消費者が応募に参加しないことも考えられ、たとえ健全で優良なキャンペーンであっても、販売促進のための消費者サービスやイメージアップ促進を図れないという問題がある。
【発明の開示】
【発明が解決しようとする課題】
【０００５】
本発明は、インターネットを介してキャンペーンへ応募してきた応募者に関して、最初の応募の段階では、応募者の住所や氏名などの個人情報が無くてもキャンペーンへの参加を行うことができ、抽選による当選者だけに住所や氏名などの個人情報の提供を求めるようにして、応募者が安心して気軽にキャンペーンに応募することでき、多くの消費者による応募を期待でき、これにより高い宣伝効果が期待できる応募システムを提供する。
【課題を解決するための手段】
【０００６】
本発明の応募システムは、機械読み取り可能な識別情報を有する印刷物と、前記識別情報を読み取る機能を有する携帯端末と、前記携帯端末と通信可能なサーバと、からなる応募システムであって、前記識別情報が、応募先のメールアドレスであり、前記携帯端末が、前記応募先のメールアドレスを読み取る手段と、応募者のメールアドレスを前記サーバに送信する手段とを有し、前記サーバが、前記携帯端末から受信した前記応募者のメールアドレスを応募者情報として集計しデータベースに登録する登録手段と、前記データベースに登録された応募者情報の中から抽選して当選者を決定する抽選手段と、前記抽選手段による抽選結果で当選者となった応募者のメールアドレス宛てに当選情報を送信する送信手段とを有していることを特徴とする。
【０００７】
本発明の応募システムは、前記印刷物が、広告媒体であることを特徴とする。
【０００８】
本発明の応募システムは、前記印刷物が、定期刊行物であることを特徴とする。
【発明の効果】
【０００９】
本発明の応募システムは、キャンペーンの当選者以外の応募者に関する住所や氏名などの個人情報が、キャンペーンの主催者側にも知られることがないので、応募者が気軽にキャンペーンに応募することができると共に、キャンペーンの主催者側にとっても、販売促進活動としてキャンペーンを実施した場合でも、多くの消費者による応募が期待でき、高い宣伝効果が期待できるという効果がある。
【００１０】
また、本発明の応募システムは、街頭などに貼られているポスターからも、気軽にキャンペーンに応募することができるという効果がある。
【００１１】
更に、本発明の応募システムは、雑誌などの定期刊行物からも、気軽にキャンペーンに応募することができるという効果がある。
【発明を実施するための最良の形態】
【００１２】
以下、図面を参照しながら本発明の実施形態を詳述する。
図１は、本発明の実施形態に係る応募システムの概要構成を示す図、図２は、本発明の実施形態に係る応募システムのシステムブロック図、図３は、本発明の実施形態に係る応募システムにおける処理手順を説明するフローチャートである。
【００１３】
本発明の実施形態に係る応募システムは、図１に示すように、機械読み取り可能な識別情報を有する印刷物であるポスター１と、前記ポスター１に付されている識別情報を読み取る機能を有する携帯端末である携帯電話端末２と、前記携帯電話端末２と通信可能なサーバ３とから構成されている。
印刷物であるポスター１には、商品の広告情報やキャンペーンに関する情報などが印刷されており、キャンペーンの応募者に対して抽選によりプレゼントが当たる旨などの記載がある。
【００１４】
また、ポスター１の右下付近には、２次元バーコード４が印刷されており、この２次元バーコード４には、消費者がそのキャンペーンに応募する際に利用するキャンペーンの応募先のメールアドレスに関する情報がコード化されている。
そして、消費者がキャンペーンに応募する場合には、この２次元バーコード４を携帯電話端末２で読み取ることで応募する旨がポスター１に掲載されており、消費者がキャンペーンへの応募方法が理解できるようにしてある。
【００１５】
携帯電話端末２は、携帯電話通信網５及びインターネット通信網６を介して、キャンペーン主催者側の情報センターなどに設置されているサーバ３とメールによる通信が行えるように構成されている。
【００１６】
図２に示すように、携帯電話端末２には、キー操作により情報を入力するためのキー入力手段７と、２次元バーコード４を撮影して画像データを得るデジタルカメラ部８と、デジタルカメラ部８で得られた２次元バーコード４の画像データを処理する信号処理手段９と、電源である電池１０と、インターネットに接続して２次元バーコード４にコード化されているメールアドレス宛てにアクセスするインターネット接続手段１１と、２次元バーコード４にコード化されているメールアドレス先とメールの送受信を行うメール送受信手段１２と、制御プログラムや携帯電話端末２の使用者のメールアドレスなどが記憶された記憶手段１３と、携帯電話網５と通信を行う通信無線用アンテナ１４と、スピーカ１５及びマイク１６の音声を制御する音声制御手段１７と、ディスプレイである表示手段１８と、制御プログラムに基づいて動作やデータ転送などの制御を行う制御手段１９などを備えている。
また、信号処理手段９には、デジタルカメラ部８で得られた２次元バーコード４の画像データを解読する２次元バーコード解読手段９ａが備えられている。
【００１７】
次に、サーバ３のシステム構成を説明すると、サーバ３には、インターネット通信網６と通信可能に接続された通信手段２０と、携帯電話端末２から携帯電話通信網５及びインターネット通信網６を介して、サーバ３に送信されてきた応募者のメールアドレスを応募者情報データベースに登録する登録手段２１と、応募者のメールアドレスの情報を蓄積した応募者情報データベース２２と、応募者情報データベース２２に登録された応募者のメールアドレスを抽選して当選者を決定する抽選手段２３と、メールの送受信を行うメール送受信手段２４と、抽選手段２３により当選したメールアドレスを有する応募者に対して、そのメールアドレスを使用して当選したことをメール送信することで知らせる当選情報送信手段２５と、制御プログラムなどが記憶された記憶手段２６と、制御プログラムに基づいて制御を行う制御手段２７などが備えられている。
【００１８】
以上のように構成された携帯電話端末２及びサーバ３を用いて、消費者がキャンペーンに応募する場合の手順を図３に示すフローチャートに基づいて説明する。
消費者が街頭などに掲示された広告媒体であるポスター１を見て、そこに掲載されているキャンペーンに応募する場合には、まずポスター１に表示されている２次元バーコード４を携帯電話端末２のデジタルカメラ部８で撮影する。（ステップＳ１）
携帯電話端末２のデジタルカメラ部８で撮影された２次元バーコード４は、信号処理手段９の２次元バーコード解読手段９ａによりコード解読されて、２次元バーコード４でコード化されている応募先のメールアドレスの信号として解読される。（ステップＳ２）
【００１９】
次に、インターネット接続手段１１によりインターネットに接続する。（ステップＳ３）
そして、メール送受信手段１２により、応募先のメールアドレス宛てにアクセスして、予め携帯電話端末２の記憶手段１３に記憶されている応募者自身のメールアドレスをサーバ３に送信する。（ステップＳ４）
応募者自身のメールアドレスを受信したサーバ３は、応募者情報データベース２２に応募者情報としてそのメールアドレスを登録する。（ステップＳ５）
そして、そのキャンペーンの応募締め切りの後に、応募者情報データベース２２に登録されている複数のメールアドレスについて抽選手段２３により抽選処理を行い当選者を決定する。（ステップＳ６）
【００２０】
次に、当選者のメールアドレス宛てにアクセスを行い、当選したことの通知や、当選後における処理手続きなどに関する情報をメールで送信する。（ステップＳ７）
ここで、当選者に対しては、当選者の住所、氏名、年齢、電話番号、などの個人情報をメールで返信してもらうようにして、キャンペーンによるプレゼントなどが送れるようにする。
【００２１】
これにより、キャンペーンの主催者側には、抽選に落選した応募者に関して、応募の際に応募者からキャンペーンの主催者側のサーバ３に送信された受信した応募者のメールアドレスだけが取り込まれ、応募者の住所、氏名などがわからないようにしてある。
通常、メールアドレスは、インターネットのプロバイダー側で管理していて、外部には秘密状態で保護されているので、たとえメールアドレスが知られたとしても、キャンペーンの主催者側において、個人を特定することができないので、応募の秘密が保護されるものである。
【００２２】
以上のように、消費者は、ポスター１を見てそこに掲載されているキャンペーンに興味を持ち応募したければ、その場でポスター１に表示されている２次元バーコード４を携帯電話端末２で撮影して取り込み、２次元バーコード４でコード化されているメールアドレス宛てに送信するだけで簡単にキャンペーンに参加することができるので、手間がかからず気軽に応募することができる。
したがって、沢山の応募が期待できる。
【００２３】
更に、応募した段階では、まだ応募者自身が誰であるのか特定されないので、応募者にとっても自分の個人情報が不用意に知れ渡ることがないという安心感もあり、より応募に対する警戒感を抱かなくても良く、より多くの消費者のキャンペーンへの参加が期待でき、宣伝効果が向上する。
【００２４】
尚、上記の実施形態では、ポスター１からなる広告媒体である印刷物を一例として挙げたが、週刊紙や月刊紙などの定期刊行物の一部にキャンペーン情報を有する広告を掲載させて、キャンペーンに応募する際に使用する２次元バーコードを定期刊行物に表示させ、この２次元バーコードに応募先のメールアドレスをコード化させるようにしてもよい。
【００２５】
また、上記の実施形態は、印刷物に表示した２次元バーコードにメールアドレスをコード化させることで、携帯電話端末２により２次元バーコードを読み取る仕組みを採用しているが、印刷物に設ける機械読み取り可能な識別情報を２次元バーコード以外の方法で設けてもよい。
例えば、機械読み取り可能な識別情報を２次元バーコード以外の方法で印刷物に設けるには、１次元バーコード、非接触ＩＣタグ、ＯＣＲ文字、電子透かし、などにより応募先のメールアドレスを設けておき、印刷物に設けたそれらの識別情報を読み取ることが可能な読取手段を有する携帯端末を使用してメールアドレスを読み取り、サーバに送信するようにしてもよい。
【図面の簡単な説明】
【００２６】
【図１】本発明の実施形態に係る応募システムの概要構成を示す図である。
【図２】本発明の実施形態に係る応募システムのシステムブロック図である。
【図３】本発明の実施形態に係る応募システムにおける処理手順を説明するフローチャートである。
【符号の説明】
【００２７】
１  ポスター
２  携帯電話端末
３  サーバ
４  ２次元バーコード
５  携帯電話通信網
６  インターネット通信網
７  キー入力手段
８  デジタルカメラ部
９  信号処理手段
９ａ  ２次元バーコード解読手段
１０  電池
１１  インターネット接続手段
１２  メール送受信手段
１３，２６  記憶手段
１４  通信無線用アンテナ
１５  スピーカ
１６  マイク
１７  音声制御手段
１８  表示手段
１９，２７  制御手段
２０  通信手段
２１  登録手段
２２  応募者情報データベース
２３  抽選手段
２４  メール送受信手段
２５  当選情報送信手段
【図１】
2005250922.tif 000003
【図２】
2005250922.tif 000004
【図３】
2005250922.tif 000005